(57)【要約】【課題】細型筒体構造であるにも拘わらず機械的強度の確保を実現し、さらに多数のアダプタの搭載と軸方向への調整を可能として接続工事を行う際に使い勝手のよい光ファイバ接続部を提供する。【解決手段】一対のケーブル把持部２０，２０と、一対のロッド３０，３０、一若しくは複数のアダプタ固定部４０、および、これらを収容する収容ケースと、を備え、アダプタ固定部４０がロッド３０上を摺動して所定位置にて固定されるような光ファイバ接続部１００とした。【選択図】図２
2011221425.tif 000002
【特許請求の範囲】
【請求項１】
複数の光ファイバを覆う外被を有する幹線ケーブルの途中にて光ファイバを引き出して光ファイバの接続を行う光ファイバ接続部であって、
幹線ケーブルを二カ所にて把持する一対のケーブル把持部と、
一対のケーブル把持部間に渡されて連結固定される一対のロッドと、
ロッド上を摺動して所定位置にて固定される位置決め部およびアダプタを固定するアダプタ固定部を有する一または複数のアダプタ固定部と、
一対のケーブル把持部、一対のロッド、および、一若しくは複数のアダプタ固定部を収容する収容ケースと、
を備えることを特徴とする光ファイバ接続部。
【請求項２】
請求項１に記載の光ファイバ接続部において、
前記ケーブル把持部は、光ファイバが挿通されて固定される固定用孔部を備えることを特徴とする光ファイバ接続部。
【請求項３】
請求項１または請求項２に記載の光ファイバ接続部において、
前記ケーブル把持部は、光ファイバが挿入されて固定される溝部を備えることを特徴とする光ファイバ接続部。
【請求項４】
請求項１〜請求項３の何れか一項に記載の光ファイバ接続部において、
前記ケーブル把持部は、上側把持部および下側把持部からなり、幹線ケーブルに対して上側把持部および下側把持部を挟み込んで取り付けられることを特徴とする光ファイバ接続部。
【請求項５】
請求項４に記載の光ファイバ接続部において、
前記ケーブル把持部の前記上側把持部および前記下側把持部を締結する六角穴付きのケーブル把持部用固定ボルトを備えることを特徴とする光ファイバ接続部。
【発明の詳細な説明】
【技術分野】
【０００１】
本発明は、幹線ケーブルから光ファイバを分岐して配線するための光ファイバ接続部に関する。
【０００２】
従来技術の光ファイバ接続部として、例えば、特許文献１（特開２００７−２１９１６６号公報、発明の名称「光ファイバ分岐ケーブル、その配線方法、及びその提供方法」）に記載の発明が知られている。
特許文献１に記載の従来技術では、幹線系の多心光ファイバケーブルの途中に分岐部が設けられ、分岐部は、多心光ファイバケーブルの外被を除去した部分の抗張力線に対して覆うように装着されるベース部材と、多心光ファイバケーブルから取り出されたテープユニットの先端に接続された多心光コネクタと、多心光コネクタが接続されたテープユニットの余長を収納する余長収納部と、多心光コネクタを複数取り付け可能なコネクタ取り付け部と、を備えるものである。
【先行技術文献】
【特許文献】
【０００３】
【特許文献１】特開２００７−２１９１６６号公報（段落番号［００４１］，図６）
【発明の概要】
【発明が解決しようとする課題】
【０００４】
しかしながら、上記特許文献１に記載の光ファイバ分岐ケーブルでは、幹線ケーブルの全周囲をベース部材で覆う構図であるため、機械的強度を確保できるが、半径方向の長さが長くなって構造が全体的に太くなるという問題があった。機械的強度に影響を与えることなく、半径方向の長さを短くして細くしたいという要請があった。
また、レセプタクルの取り付け位置は軸方向へは調整できない構成であるため、取り付けに制約があるという問題があった。特に軸方向の取り付け位置を調整したいという要請があった。
【０００５】
そこで、本発明は上記した問題に鑑みてなされたものであり、その目的は、細型筒体構造であるにも拘わらず機械的強度の確保を実現し、さらに多数のアダプタの搭載と軸方向への調整を可能として接続工事を行う際に使い勝手のよい光ファイバ接続部を提供することにある。
【課題を解決するための手段】
【０００６】
本発明の請求項１に係る光ファイバ接続部は、
複数の光ファイバを覆う外被を有する幹線ケーブルの途中にて光ファイバを引き出して光ファイバの接続を行う光ファイバ接続部であって、
幹線ケーブルを二カ所にて把持する一対のケーブル把持部と、
一対のケーブル把持部間に渡されて連結固定される一対のロッドと、
ロッド上を摺動して所定位置にて固定される位置決め部およびアダプタを固定するアダプタ固定部を有する一または複数のアダプタ固定部と、
一対のケーブル把持部、一対のロッド、および、一若しくは複数のアダプタ固定部を収容する収容ケースと、
を備えることを特徴とする。
【０００７】
また、本発明の請求項２に係る光ファイバ接続部は、
請求項１に記載の光ファイバ接続部において、
前記ケーブル把持部は、光ファイバが挿通されて固定される固定用孔部を備えることを特徴とする。
【０００８】
また、本発明の請求項３に係る光ファイバ接続部は、
請求項１または請求項２に記載の光ファイバ接続部において、
前記ケーブル把持部は、光ファイバが挿入されて固定される溝部を備えることを特徴とする。
【０００９】
また、本発明の請求項４に係る光ファイバ接続部は、
請求項１〜請求項３の何れか一項に記載の光ファイバ接続部において、
前記ケーブル把持部は、上側把持部および下側把持部からなり、幹線ケーブルに対して上側把持部および下側把持部を挟み込んで取り付けられることを特徴とする。
【００１０】
また、本発明の請求項５に係る光ファイバ接続部は、
請求項４に記載の光ファイバ接続部において、
前記ケーブル把持部の前記上側把持部および前記下側把持部を締結する六角穴付きのケーブル把持部用固定ボルトを備えることを特徴とする。
【発明の効果】
【００１１】
本発明によれば、細型筒体構造であるにも拘わらず機械的強度の確保を実現し、さらに多数のアダプタの搭載と軸方向への調整を可能として接続工事を行う際に使い勝手のよい光ファイバ接続部を提供することができる。
【図面の簡単な説明】
【００１２】
【図１】本発明を実施するための形態の光ファイバ接続部の使用状態を含む外観図である。
【図２】本発明を実施するための形態の光ファイバ接続部から収容ケースを取り去った構図の説明図である。
【図３】収容ケースの斜視外観図である。
【図４】ラッチ部を説明する説明図であり、図４（ａ）は第１のラッチ部の説明図、図４（ｂ）は第２のラッチ部の説明図である。
【図５】ケーブル把持部の斜視外観図である。
【図６】ケーブル把持前のケーブル把持部の斜視外観図である。
【図７】ロッドの斜視外観図である。
【図８】アダプタ固定部の説明図であり、図８（ａ）は上側を見るようにしたアダプタ固定部の説明図、図８（ｂ）は下側を見るようにしたアダプタ固定部の説明図である。
【図９】アダプタ固定部のロッドへの取り付けを説明する説明図である。
【図１０】アダプタ固定部のロッドへの取り付けを説明する説明図である。
【図１１】アダプタ固定部のロッドへの取り付けおよびコネクタ・配線を説明する説明図である。
【図１２】アダプタ固定部のロッドへの取り付けを説明する説明図であり、図１２（ａ）は看者の視認方向を説明する説明図であり、図１２（ｂ）はアダプタ固定部の取り付け状態を示す図である。
【発明を実施するための形態】
【００１３】
続いて、本発明を実施するための形態の光ファイバ接続部について図を参照しつつ以下に説明する。本形態の光ファイバ接続部１００は、図１で示すように、幹線ケーブル２００の途中に配置されており、設置箇所にて幹線ケーブル２００を収容ケース１０により覆う構造としている。収容ケース１０の挿通孔１２からは幹線ケーブル２００とドロップケーブル３００が引き出されている。なお、ドロップケーブル３００は支持線を含む構造である。
【００１４】
本形態の光ファイバ接続部１００は、内部構造として、図２に示すように、一対のケーブル把持部２０，２０と、これら一対のケーブル把持部２０，２０に渡されて連結固定される二本のロッド３０，３０と、二本のロッド３０，３０上を摺動・回転し、アダプタを固定する一または複数のアダプタ固定部４０（図２では例示的に一個図示している。）と、を備える構造である。
【００１５】
続いて各部構成について説明する。
収容ケース１０は、図１，図３に示すように連結部１１（図１）、挿通孔１２（図１，図３）、ラッチ部１３（図３）を備える。収容ケース１０は切れ目１４が設けられた半割構造であり、連結部１１により連結される二個のケースが開閉可能になされている。そして開口部にラッチ部１３が設けられており、強固に閉じられて切れ目１４からは雨水等が進入しにくくなるようになされている。
【００１６】
ラッチ部１３は、図４（ａ）で示すように、一方のバンド部１３１と、他方の留め部１３２と、からなる。留め部１３２の留め部本体１３２ａには前孔１３２ｂが設けられており、この前孔１３２ｂにバンド部１３１のバンド本体１３１ａが通され、さらに留め部本体１３２ａ上の三角頂点上にある３箇所の係止突起部１３２ｃのうち、留め部本体１３２ａの両側にある二個の係止突起部１３２ｃがバンド本体１３１ａの切り欠き部１３１ｃに嵌め込まれ、残る一個の係止突起部１３２ｃがバンド本体１３１ａの角孔状の孔部１３１ｂに嵌め込まれて係止固定される。なお、図３（ｂ）で示すように先端側の一個の係止突起部１３２ｃの先端を球体とし、孔部１３１ｂを円孔としても良い。
【００１７】
このようなラッチ部１３は円筒状の収納ケース１０に対し、断面で半径方向および周方向の力に抗して締結を維持する。また、このようなラッチ部１３の向きを図３で示すように交互に異ならせているため、特に周方向の力が上下の両方向に抗して締結を維持する。このような収容ケース１０は、一対のケーブル把持部２０，２０、二本のロッド３０，３０、および、一若しくは複数のアダプタ固定部４０を収容する。
なお、収容ケース１０の色は幹線ケーブル２００と同色であることが好ましく、例えば幹線ケーブル２００によく使用される黒色が選択される。
【００１８】
ケーブル把持部２０は、図５で示すように、合成樹脂製の上側把持部２１、下側把持部２２を備える。これら上側把持部２１、下側把持部２２は、同一構造体である。上側把持部２１、下側把持部２２は、図６で示すように、幹線ケーブル２００の被覆を除去してスロット２０１を露出させた箇所の両側にて幹線ケーブル２００を上下で挟み、図５で示すように、ケーブル把持部用固定ボルト２３により固定されて図５で示すように把持固定される。
【００１９】
開口部２１ｅ，２２ｅにはそれぞれ突起部２１ｆ，２２ｆが設けられて幹線ケーブル２００の被覆を突き刺し、幹線ケーブル２００が移動しないように固定する。なお、ケーブル把持部用固定ボルト２３として、六角穴付ボルトを使用することにより、一定のトルクにより締め付けるトルク管理を行い、光ファイバに不要な力を加えないように均一された工法を行うようにしている。
【００２０】
また、ケーブル把持部２０を二分割構造としたため、幹線ケーブル２００の外径変化に対応し、把持可能としている。上側把持部２１と下側把持部２２とが接触するときの幹線ケーブル２００の外径は例えば１０ｍｍであるとする。これよりも大きな外径の幹線ケーブル２００が把持されたとき、上側把持部２１と下側把持部２２とがケーブル把持部用固定ボルト２３により締結されたときの樹脂製の本体のしなりにより、隙間なく確実に把持が出来る。
【００２１】
上側把持部２１の左右二カ所と下側把持部２２の左右二カ所とにドロップケーブルを挿通させてネジ２４によりドロップケーブル３００を固定する固定用孔部２１ａ，２１ｂ，２２ａ，２２ｂが設けらている。また、ドロップケーブルを上側から挿入して把持する溝部２１ｃ，２１ｄ，２２ｃ，２２ｄも設けられている。作業者はこれら固定用孔部２１ａ，２１ｂ，２２ａ，２２ｂおよび溝部２１ｃ，２１ｄ，２２ｃ，２２ｄを用いてドロップケーブルの配線を行うことができる。
【００２２】
ロッド３０は、図７で示すように、ロッド本体３１、両端の孔部３２を備えており、孔部３２を通過させたネジ２５を一対のケーブル把持部２０，２０に締結して連結固定する。そして二本のロッド３０，３０が上下に取り付けられる。ロッド３０の長さにより一対のケーブル把持部２０，２０の取り付け位置が決定される。このように幹線ケーブル２００に接触しないロッド３０を採用したため、ケーブル把持部２０以外は幹線ケーブル２００の外径に影響されない構造体とすることができる。また、幹線ケーブル２００には直接触れない箇所であるためケーブル把持部２０へロッド３０を取り付ける際にはトルク管理による固定を容易にすることができる。
【００２３】
アダプタ固定部４０は、図８で示すように、位置決め部４１、アダプタ取り付け部４２を備える。
位置決め部４１は、位置決め部本体４１ａ、孔部４１ｂ、ネジ孔部４１ｃ、ネジ挿通孔部４１ｄ、隙間部４１ｅを備える。ロッド３０が孔部４１ｂに挿通された状態のアダプタ固定部４０は、ロッド３０と平行に移動でき、また、ロッド３０に対して回転できるようになる。隙間部４１ｅは孔部４１ｂと連通する空間であり、位置決め部本体４１ａを変形し易い構造としている。ネジ挿通孔部４１ｄを通過させてネジ孔部４１ｃにネジを螺挿し、ネジを締めると孔部４１ｂが閉まって位置決め部本体４１ａが変形し、ロッド３０の所定位置に固定される。
【００２４】
アダプタ取り付け部４２は、凹字状体部４２ａ、ネジ孔部４２ｂを備える。凹字状体部４２ａの溝内にアダプタが嵌め込まれ、ネジがアダプタの挿通孔に通された状態でネジ孔部４２ｂに締結固定される。そして、このようなアダプタ取り付け部４２がロッド３０に挿通されてアダプタが配置される。配置については後述する。
【００２５】
アダプタ５０は、図１１にも示すように、光ファイバの端部に接続されたコネクタ６０が差し込まれて連結される。このアダプタ５０の両端にそれぞれコネクタ６０が差し込まれて光ファイバ同士が連結されることとなる。アダプタ５０は、例えば一般的に使用されているＳＣアダプタであり、コネクタもＳＣコネクタである。
【００２６】
続いて光ファイバ接続部１００の使用方法について説明する。ここでは幹線ケーブル２００中に新たに設置する使用方法について説明する。
幹線ケーブル２００としてＳＺ型光ケーブルが使用されているものとする。まず、幹線ケーブル２００の所望位置にて被覆を除去する。すると、図２で示すようにその箇所でスロット２０１とこのスロットに巻き付けられている光ファイバ心線が現れる。光ファイバ心線にコネクタ６０を接続する。そして、一対のケーブル把持部２０，２０および一対のロッド３０，３０を組み立てて、図２のような状態とする。この際、図示していないが、実際にはロッド３０には使用するアダプタ固定部４０が予め挿通された状態で一対のケーブル把持部２０，２０に取り付けられる。
【００２７】
続いてアダプタ固定部４０の位置の調整を行う。図９で示すようにアダプタ固定部４０を矢印ａ方向に移動させ、そして図１０で示すように位置決め用ネジ７０を締めて最適位置にて固定する。そして、アダプタ５０の一方の側にコネクタを連結する。なお、配線が多くてアダプタ５０にコネクタ６０を取り付けにくいときであっても、配線がない箇所までアダプタ５０を回転させてからコネクタ６０を取り付けるようにしても良い。
【００２８】
また、ドロップケーブルの一端にもコネクタ６０が連結してあり、アダプタ５０の他方の側にコネクタ６０を連結する。このような接続作業を続けていき、最終的には図１１で示すような状態となる。
【００２９】
この際、図１０で示すように二個のアダプタ固定部４０は、一本のロッド３０上で近接して配置し、幹線ケーブル２００に接した状態で略９０°交差して配置されるようにすると、収容ケース１０の円形断面をみるとき、半径方向の長さが少なくなり、細い構造にすることができる。
【００３０】
また、図１２（ｂ）で示すように、幹線ケーブル２００を挟んで１８０°対向してロッド３０が二本配置されているため、上側のロッド３０に二個のアダプタ固定部４０を略９０°交差させて配置する。下側のロッド３０にも二個のアダプタ固定部４０を略９０°交差させて配置する。これにより一箇所に四個のアダプタ固定部４０を四角形状に配置することができる。これは特に多数のアダプタを配置したいときに利便性が高い。ロッド３０が短くても多数のアダプタを配置することができる。
また、幹線ケーブル２００にアダプタ５０が近接して配置されるため、収容ケース１０の径を可能な限り短くすることができ、細くすることが可能となる。
【００３１】
なお、このドロップケーブルは、ケーブル把持部２１，２２の固定用孔部２１ａ，２１ｂ，２２ａ，２２ｂにて挿入の上で固定された状態で引き出されるか、または、溝部２１ｃ，２１ｄ，２２ｃ，２２ｄに嵌め込まれた状態で引き出される。そして、配線終了後には収納ケース１０で覆い、最終的に図１で示すような状態として、工事は終了する。
【００３２】
以上本形態の光ファイバ接続部１００について説明した。なお、本形態以外にも各種の変形形態が可能である。例えば、ＳＣ型の幹線ケーブル以外の光ファイバケーブルに適用しても良く、スロットレス型光ケーブル等に適用してもよい。
また、幹線ケーブルとドロップケーブルとの接続であるとして説明したが、この接続は両側へ接続するπ分岐配線や、片側へ接続する片側分岐配線としても良い。
【００３３】
また、ロッド３０を長くしてアダプタ５０の取り付け位置の選択範囲を拡げるようにしても良い。例えば、複数回切断して短くなったような光ファイバ心線を用いる場合でも、アダプタ固定部４０を移動させれば最適位置にて接続が可能となり、利便性が高い。
【産業上の利用可能性】
【００３４】
本発明は、特に支持柱（いわゆる電信柱や電柱）間を渡されて架空敷設されている幹線ケーブルからの分岐箇所に設けられてユーザ（戸建て、アパート、マンション）等にドロップケーブルを引き込むための光接続部として適用することができる。
【符号の説明】
【００３５】
１００：光ファイバ接続部
１０：収容ケース
１１：連結部
１２：挿通孔
１３：ラッチ部
１３１：バンド部
１３１ａ：バンド本体
１３１ｂ：孔部
１３１ｃ：切り欠き部
１３２：留め部
１３２ａ：留め部本体
１３２ｂ：前孔
１３２ｃ：係止突起部
１４：切れ目部
２０：ケーブル把持部
２１：上側把持部
２１ａ，２１ｂ：固定用孔部
２１ｃ，２１ｄ：溝部
２１ｅ：開口部
２１ｆ：突起部
２１ｃ，２１ｄ：溝部
２２：下側把持部
２２ａ，２２ｂ：固定用孔部
２２ｃ，２２ｄ：溝部
２２ｅ：開口部
２２ｆ：突起部
２３：ケーブル把持部用固定ボルト
２４，２５：ネジ
３０：ロッド
３１：ロッド本体
３２：孔部
４０：アダプタ固定部
４１：位置決め部
４１ａ：位置決め部本体
４１ｂ：孔部
４１ｃ：ネジ孔部
４１ｄ：ネジ挿通孔部
４１ｅ：隙間部
４２：コネクタ固定部
４２ａ：凹字状体部
４２ｂ：ネジ孔部
５０：アダプタ
６０：コネクタ
７０：位置決め用ネジ
２００：幹線ケーブル
２０１：スロット
３００：ドロップケーブル（支持線含む）
【図１】
2011221425.tif 000003
【図２】
2011221425.tif 000004
【図３】
2011221425.tif 000005
【図４】
2011221425.tif 000006
【図５】
2011221425.tif 000007
【図６】
2011221425.tif 000008
【図７】
2011221425.tif 000009
【図８】
2011221425.tif 000010
【図９】
2011221425.tif 000011
【図１０】
2011221425.tif 000012
【図１１】
2011221425.tif 000013
【図１２】
2011221425.tif 000014